(57)【特許請求の範囲】
【請求項１】
廃棄物処理場や貯水池等の掘削凹部に敷設されるシートの周縁部を固定するためのシート固定装置であって、このシート固定装置は下部が前記シートの周縁部に形成された側断面視Ｖ字状の凹部と合致する側断面視Ｖ字状で且つ移動可能な重り体であることを特徴とするシート固定装置。
【請求項２】
廃棄物処理場や貯水池等の掘削凹部に敷設されるシートの周縁部を固定するためのシート固定装置であって、このシート固定装置は下部が前記シートの周縁部に形成された側断面視Ｖ字状の凹部と合致する側断面視Ｖ字状で且つ移動可能な重り体を複数連結したものであることを特徴とするシート固定装置。
【請求項３】
廃棄物処理場や貯水池等の掘削凹部に敷設されるシートの周縁部を固定するためのシート固定装置であって、このシート固定装置は下部が前記シートの周縁部に形成された側断面視Ｖ字状の凹部と合致する側断面視Ｖ字状で且つ移動可能な中空体であり、この中空体は内部に水、空気、泥土モルタル、モルタル、コンクリート、砂等の流体が充填されるように構成されていることを特徴とするシート固定装置。
【請求項４】
請求項３記載のシート固定装置において、このシート固定装置は前記中空体を複数連結したものであり、この複数の中空体同士は各中空体の内部に充填された流体が流通可能となるように連結されていることを特徴とするシート固定装置。
【請求項５】
請求項３，４いずれか１項に記載のシート固定装置において、前記中空体は流体の充填量に応じて大小変形し得るように構成されていることを特徴とするシート固定装置。
【請求項６】
廃棄物処理場や貯水池等の掘削凹部に敷設されるシートの周縁部を固定するためのシート固定装置であって、このシート固定装置は水、空気、泥土モルタル、モルタル、コンクリート、砂等の流体が充填される移動可能な複数の中空体であり、この複数の中空体同士は各中空体の内部に充填された流体が流通可能となるように連結されていることを特徴とするシート固定装置。
【請求項７】
請求項６記載のシート固定装置において、前記中空体は流体の充填量に応じて大小変形し得るように構成されていることを特徴とするシート固定装置。
【請求項８】
廃棄物処理場や貯水池等の掘削凹部に敷設するシートの固定方法であって、前記掘削凹部に前記シートを敷設し、続いて、このシートの所定位置に下記の流体ａを充填した移動可能な中空体を配設して当該シートを仮押さえし、続いて、前記掘削凹部に所定量の投入物を投入した後、前記中空体から前記流体ａを導出し、続いて、この流体ａを導出した中空体を前記掘削凹部の上縁位置に移動させ、続いて、前記中空体に前記導出した流体ａと異なる下記の流体ｂを充填して該中空体により前記シートを本押さえし、続いて、前記流体ｂが充填された中空体を覆うように前記シートを前記掘削凹部の中心方向に折り返すことを特徴とするシートの固定方法。
記
流体ａ：中空体内への導出入が容易な水若しくは空気
流体ｂ：永久構造物に適した泥土モルタル、モルタル、コンクリート若しくは砂
【請求項９】
廃棄物処理場や貯水池等の掘削凹部に敷設するシートの固定方法であって、前記掘削凹部に前記シートを敷設し、続いて、このシートの周縁部に移動可能な重り体を配設して当該シートを押さえ、続いて、前記掘削凹部に所定量の投入物を投入した後、前記重り体を前記掘削凹部の上縁位置に移動させ、続いて、前記重り体を覆うように前記シートを前記掘削凹部の中心方向に折り返すことを特徴とするシートの固定方法。
【発明の詳細な説明】
【０００１】
【発明の属する技術分野】
本発明は、シート固定装置及びシートの固定方法に関するものである。
【０００２】
【従来の技術及び発明が解決しようとする課題】
従来から、廃棄物処分場や貯水池等の掘削凹部の底面（地面）には遮水性を有する遮水シートを敷設している。この遮水シートは、廃棄物処分場での地面への水分の浸透を防止するために使用されるものである。特に廃棄物処分場において、水に有害な物質が含まれているような場合には、この遮水シートは必須となる。
【０００３】
ところで、この遮水シートを敷設した後は、廃棄物や水が溜まるまで固定する必要がある。
【０００４】
そこで、従来においては、この固定方法として、掘削凹部の周囲に凹部を形成し、この凹部内にまで遮水シートを延設し、この凹部内に配設された遮水シートの上からコンクリートを打設することで当該遮水シートを固定している。
【０００５】
しかしながら、この従来から行われている方法では、例えば適正に使用されていない廃棄物処分場を適正処分場に改修する工事などのように、短期間、仮設的に遮水シートを固定する場合には、次の問題点がある。
【０００６】
即ち、遮水シートを固定する固定工が移動することができないのは勿論、固定工の解体は容易ではなく、しかも、この固定工を構成するコンクリートが遮水シートに付着したり、また、このコンクリートが遮水シートを破損させたりして、遮水シートの転用がきかず、そして更に、固定作業に多くの時間を要する他、コスト高である。
【０００７】
本出願人は、このシートの固定方法について種々の実験・研究を重ね、従来にない作用効果を発揮する画期的なシート固定装置及びシート固定方法を発明した。
【０００８】
【課題を解決するための手段】
添付図面を参照して本発明の要旨を説明する。
【０００９】
廃棄物処理場や貯水池等の掘削凹部１に敷設されるシート２の周縁部を固定するためのシート固定装置Ａであって、このシート固定装置Ａは下部が前記シート２の周縁部に形成された側断面視Ｖ字状の凹部と合致する側断面視Ｖ字状で且つ移動可能な重り体３であることを特徴とするシート固定装置に係るものである。
【００１０】
また、廃棄物処理場や貯水池等の掘削凹部１に敷設されるシート２の周縁部を固定するためのシート固定装置Ａであって、このシート固定装置Ａは下部が前記シート２の周縁部に形成された側断面視Ｖ字状の凹部と合致する側断面視Ｖ字状で且つ移動可能な重り体３を複数連結したものであることを特徴とするシート固定装置に係るものである。
【００１１】
また、廃棄物処理場や貯水池等の掘削凹部１に敷設されるシート２の周縁部を固定するためのシート固定装置Ａであって、このシート固定装置Ａは下部が前記シート２の周縁部に形成された側断面視Ｖ字状の凹部と合致する側断面視Ｖ字状で且つ移動可能な中空体３であり、この中空体３は内部に水、空気、泥土モルタル、モルタル、コンクリート、砂等の流体が充填されるように構成されていることを特徴とするシート固定装置に係るものである。
【００１２】
また、請求項３記載のシート固定装置において、このシート固定装置Ａは前記中空体３を複数連結したものであり、この複数の中空体３同士は各中空体３の内部に充填された流体が流通可能となるように連結されていることを特徴とするシート固定装置に係るものである。
【００１３】
また、請求項３，４いずれか１項に記載のシート固定装置において、前記中空体３は流体の充填量に応じて大小変形し得るように構成されていることを特徴とするシート固定装置に係るものである。
【００１４】
また、廃棄物処理場や貯水池等の掘削凹部１に敷設されるシート２の周縁部を固定するためのシート固定装置Ａであって、このシート固定装置Ａは水、空気、泥土モルタル、モルタル、コンクリート、砂等の流体が充填される移動可能な複数の中空体３であり、この複数の中空体３同士は各中空体３の内部に充填された流体が流通可能となるように連結されていることを特徴とするシート固定装置に係るものである。
【００１５】
また、請求項６記載のシート固定装置において、前記中空体３は流体の充填量に応じて大小変形し得るように構成されていることを特徴とするシート固定装置に係るものである。
【００１６】
また、廃棄物処理場や貯水池等の掘削凹部１に敷設するシート２の固定方法であって、前記掘削凹部１に前記シート２を敷設し、続いて、このシート２の所定位置に下記の流体ａを充填した移動可能な中空体３を配設して当該シート２を仮押さえし、続いて、前記掘削凹部１に所定量の投入物８を投入した後、前記中空３から前記流体ａを導出し、続いて、この流体ａを導出した中空体３を前記掘削凹部１の上縁位置に移動させ、続いて、前記中空体３に前記導出した流体ａと異なる下記の流体ｂを充填して該中空体３により前記シート２を本押さえし、続いて、前記流体ｂが充填された中空体３を覆うように前記シート２を前記掘削凹部１の中心方向に折り返すことを特徴とするシートの固定方法に係るものである。
記
流体ａ：中空体内への導出入が容易な水若しくは空気
流体ｂ：永久構造物に適した泥土モルタル、モルタル、コンクリート若しくは砂
【００１７】
記
流体ａ：中空体内への導出入が容易な水若しくは空気
流体ｂ：永久構造物に適した泥土モルタル、モルタル、コンクリート若しくは砂
【００１８】
また、廃棄物処理場や貯水池等の掘削凹部１に敷設するシート２の固定方法であって、前記掘削凹部１に前記シート２を敷設し、続いて、このシート２の周縁部に移動可能な重り体３を配設して当該シート２を押さえ、続いて、前記掘削凹部１に所定量の投入物８を投入した後、前記重り体３を前記掘削凹部１の上縁位置に移動させ、続いて、前記重り体３を覆うように前記シート２を前記掘削凹部１の中心方向に折り返すことを特徴とするシートの固定方法に係るものである。
【００１９】
【発明の作用及び効果】
本発明は、廃棄物処理場や貯水池等の掘削凹部１に敷設するシート２を固定するに際し、当該シート２の周縁部をシート固定装置Ａにより固定する。
【００２０】
このシート固定装置Ａは、適宜な重り体３から成り、且つ、この重り体３は移動可能であるから、シート２の固定作業が簡易且つ迅速に行え、しかも、例えば廃棄物処理場における掘削凹部１内への投入物を投入した後などのように、シート２を固定する必要がなくなった場合や一時的に避けたい場合に移動させることができ、また、必要に応じて他の固定箇所への転用が可能となるなど非常に経済的となる。
【００２１】
【発明の実施の形態】
図面は本発明の一実施例を図示したものであり、以下に説明する。
【００２２】
符号２は遮水シートであり、この遮水シート２は遮水シート２に付属する保護マット等のシート類を含むものとする。
【００２３】
本実施例は、図１に図示したように廃棄物処理場や貯水池等の掘削凹部１に敷設する遮水シート２の周縁部２ｂを固定するシート固定装置Ａであって、このシート固定装置Ａは、適宜な重り体３を複数連結したものであり、また、各重り体３は移動可能に構成されている。
【００２４】
尚、本実施例の、掘削凹部１は、底面１ａとこの底面１ａの周囲に傾斜状に立ち上がる法面１ｂとから成り、特に投入物８としての廃棄物を埋め立てる廃棄物処分場の掘削凹部１を図示しているが、その他にも例えば貯水池としての掘削凹部などでも良い。
【００２５】
また、本実施例は、シート固定装置Ａを複数の重り体３を連結して構成しているが、単独でできる規模であれば１つの重り体３でシート固定装置Ａを構成しても良い。
【００２６】
重り体３は、図２に図示したように適度な可撓性を有する樹脂製の中空体３で構成したものであり、この重り体３に係る中空体は、その内部に所定量の流体を収納し得るように構成されている。尚、本実施例では重り体３を構成する中空体は移動時等にコンパクトにすべく可撓性を有する樹脂製としているが、その素材としては硬質のものでも良く、この場合、角部に丸みを持たせることで遮水シート２への負荷を低減した方が良く、また、樹脂として廃プラスチックを用いると環境への負荷が低減できる。
【００２７】
また、この重り体３に係る中空体は、その一端部に流体を導入するための管状の流体導入部６が突設されており、この流体導入部６は他の中空体の他端部に設けた流体導出部７に連結し得るように構成されている。従って、一の中空体の流体導入部６から導入された流体は、該中空体内に充填されると共に流体導出部７から導出されて他の中空体の流体導入部６へ流体が導入されることになる。尚、本実施例では流体を充填する効率化を考慮して中空体３同士を連結しているが、各中空体３ごとに個別に注入できる構造としても良い。
【００２８】
また、この重り体３に係る中空体の下部は側断面視Ｖ字状に形成されている。これは、重り体３の重量を効率良く遮水シート２に伝達させて良好な固定状態を得るための構成である。尚、この重り体３に係る中空体の形状としては、溝の形状などの条件に合わせて適宜設計変更し得るものである。
【００２９】
流体は、水、空気、砂、泥土モルタル、モルタル、コンクリート等が考えられ、遮水シート２の仮押さえの際には移動を考慮して重り体３に係る中空体内への導出入が容易な例えば水、空気等が使用され、永久構造物としてシート２の本押さえの際には砂、泥土モルタル、モルタル、コンクリート等が使用される。
【００３０】
以上の構成からなるシート固定装置Ａを使用した遮水シート２の固定方法について説明する。
【００３１】
具体的には、本出願人は、この遮水シート２の固定方法として、図３〜８に図示した第一固定方法と、図１１〜１６に図示した第二固定方法とを提案する。
【００３２】
まず、第一固定方法について説明する。
【００３３】
第一固定方法は、掘削凹部１の周縁部にして法面１ｂの上縁の近接位置に断面Ｖ字状の凹溝５を形成しており、掘削凹部１の法面１ｂ及び凹溝５に遮水シート２を敷設し、凹溝５内の遮水シート２の上面に重り体３を載置して仮押さえとして水等を充填した状態で固定する（図１，３参照※尚、図１は図３の斜視図である。）。尚、凹溝５は掘削凹部１の最上段周縁部のみに使用するばかりでなく法面１ｂの途中部に設けても良い。
【００３４】
続いて、掘削凹部１内に廃棄物８を投入し、この廃棄物８と法面１ｂとの間に断面Ｖ字状の凹溝４を形成する（図４参照）。
【００３５】
続いて、重り体３を凹溝４に移動する（図５参照）。この際、重り体３内に充填された流体を排出させて重量を軽くしてから移動しており、移動後は後述する遮水シート２の折り返し作業に備え本押さえとしての砂、泥土モルタル、モルタル、コンクリートなどの流体を充填して必要重量を確保している。
【００３６】
続いて、凹溝５内に敷設された遮水シート２の周縁部２ｂを、重り体３で固定しながら折り返す（図６参照）。この際、重り体３と廃棄物８とに隙間等があれば良質土によって整地する。
【００３７】
続いて、廃棄物８の上面にカバーシート９を敷設し、該カバーシート９の端部と遮水シート２の端部同志を重合状態で接合するとともに、重り体３を取り除いたあとの凹溝５を良質土によって埋め戻す（図７参照）。
【００３８】
続いて、カバーシート９の上部に最終覆土10を施して完了する（図８参照）。
【００３９】
尚、図９及び図１０は、掘削凹部１が満たされないまま廃棄物８の投入作業が終了した場合であり、掘削凹部１の周辺部（堰堤）は廃棄物８の投入度合いに合わせて掘削作業が行われる。
【００４０】
以上のような第一固定方法によれば、遮水シート２の固定作業が重機械なしに狭い造成エリアで簡易且つ迅速に行え、しかも、非常に経済的となる。
【００４１】
また、従来から行われている方法と異なり、コンクリートの撤去に伴う遮水シート２の破損等がなく、再使用でき、また、遮水シート２を折り返してカバーシート９と接合する構成の為、この遮水シート２、カバーシート９の面積が少なくて済み、飛躍的に工費が削減できる。
【００４２】
また、遮水シート２の折り返し部２ａに重り体３を配設することで、遮水シート２の折り返しが簡易且つ迅速に行えることになる。
【００４３】
また、遮水シート２に引っ張りや緩みが発生した場合は流体の充填量を加減することで修正作業に対応することが出来る。
【００４４】
次に、第二固定方法について説明する。
【００４５】
第二固定方法は、掘削凹部１の外周縁部にして法面１ｂの上縁から所定距離を介した位置に断面Ｖ字状の凹溝５を形成しており、掘削凹部１の法面１ｂ及び凹溝５に遮水シート２を敷設し、凹溝５内の遮水シート２の上面に重り体３を載置して固定する（図１１参照）。
【００４６】
続いて、掘削凹部１内に廃棄物８を投入し、この廃棄物８と法面１ｂとの間に断面Ｖ字状の凹溝４を形成する（図１２参照）。
【００４７】
続いて、重り体３を凹溝４に移動する（図１３参照）。この際、重り体３内に充填された流体を排出させて重量を軽くしてから移動しており、移動後は後述するシート２の折り返し作業に備え本押さえとして砂、泥土モルタル、モルタル、コンクリートなどの流体を充填して必要重量を確保している。
【００４８】
続いて、凹溝５内に敷設された遮水シート２の周縁部２ｂを、重り体３で固定しながら折り返す（図１４参照）。この際、重り体３と廃棄物８とに隙間等があれば良質土によって整地する。
【００４９】
続いて、廃棄物８の上面にカバーシート９を敷設し、該カバーシート９の端部と遮水シート２の端部同志を重合状態で接合する（図１５参照）。
【００５０】
続いて、カバーシート９の上部に最終覆土10を施すとともに、重り体３を移動した後の凹溝５は雨水排水溝として構成する（図１６参照）。
【００５１】
以上のような第二固定方法によれば、前述した第一固定方法による作用効果に加え、シート２を固定する際に重り体３を配設していた凹溝５を有効利用することが出来ることになる。
【００５２】
以上の実施例は、重り体３として中空体に流体を充填し、その重量により押さえる方法であるが、例えば図１７に図示したように突っ張ることにより遮水シート２を押さえる方法もある。この場合、中空体としては適度な可撓性を有する樹脂製部材を用いると良い。中空体内に流体を充填し、圧力流体とすることで、例えばＵ字溝等の溝の両側面に突っ張ることで遮水シート２を押さえる。この結果、重量による押さえの他に突っ張りによる押さえが加わり、効果的に遮水シート２を押さえることができる。また、Ｕ字溝は重り体３の移動後に雨水排水溝として使用できる。尚、遮水シート２の端部を支障のないようにロール状に巻いて養生すると良い。これによりカバーシート９として用いる時に継目の無い丈夫なカバーシート９として用いることができ、そして更に、カバーシート９の継目を応力集中が大きいシート折り返し付近より外すことができる。
【図面の簡単な説明】
【図１】  本実施例を示す斜視図である。
【図２】  本実施例に係るシート固定装置Ａを説明する斜視図である。
【図３】  本実施例に係るシートの固定方法の説明図である。
【図４】  本実施例に係るシートの固定方法の説明図である。
【図５】  本実施例に係るシートの固定方法の説明図である。
【図６】  本実施例に係るシートの固定方法の説明図である。
【図７】  本実施例に係るシートの固定方法の説明図である。
【図８】  本実施例に係るシートの固定方法の説明図である。
【図９】  本実施例に係るシートの固定方法の説明図である。
【図１０】  本実施例に係るシートの固定方法の説明図である。
【図１１】  本実施例に係るシートの固定方法の説明図である。
【図１２】  本実施例に係るシートの固定方法の説明図である。
【図１３】  本実施例に係るシートの固定方法の説明図である。
【図１４】  本実施例に係るシートの固定方法の説明図である。
【図１５】  本実施例に係るシートの固定方法の説明図である。
【図１６】  本実施例に係るシートの固定方法の説明図である。
【図１７】  シートの固定方法の説明図である。
【符号の説明】
Ａ  シート固定装置
１  掘削凹部
２  シート
３  重り体・中空体
８  投入物
【図１】
0003916989.tif 000002
【図２】
0003916989.tif 000003
【図３】
0003916989.tif 000004
【図４】
0003916989.tif 000005
【図５】
0003916989.tif 000006
【図６】
0003916989.tif 000007
【図７】
0003916989.tif 000008
【図８】
0003916989.tif 000009
【図９】
0003916989.tif 000010
【図１０】
0003916989.tif 000011
【図１１】
0003916989.tif 000012
【図１２】
0003916989.tif 000013
【図１３】
0003916989.tif 000014
【図１４】
0003916989.tif 000015
【図１５】
0003916989.tif 000016
【図１６】
0003916989.tif 000017
【図１７】
0003916989.tif 000018